【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
裏面に粘着剤層を設けた記録テープと、前記粘着剤層を介して、前記記録テープに貼着された剥離テープと、から構成されたテープ本体を、テープコアにロール状に巻回した処理テープであって、
前記テープ本体は、前記テープコアへの巻き始め端部に、前記記録テープを前記剥離テープから除去した記録テープ除去部を、有することを特徴とする処理テープ。
【請求項２】
請求項１に記載の処理テープと、
前記処理テープを繰出し自在に収容したカートリッジケースと、
を備えたことを特徴とするテープカートリッジ。
【請求項３】
前記テープカートリッジは、前記テープカートリッジから繰り出される前記テープ本体を切断する切断手段を備えたテープ処理装置の装置本体に、着脱自在に装着され、
前記記録テープ除去部は、前記カートリッジケースのテープ送出口と、前記切断手段の切断部位との離間寸法より長く形成されていることを特徴とする請求項２に記載のテープカートリッジ。
【請求項４】
裏面に粘着剤層を設けた記録テープと、前記粘着剤層を介して、前記記録テープに貼着された剥離テープと、から構成されたテープ本体を、テープコアにロール状に巻回した処理テープであって、
前記テープ本体は、前記テープコアへの巻き始め端部に、カット線により前記記録テープのみを分断して形成した切離し片を有すると共に、前記切離し片は、前記テープコアに貼着されていることを特徴とする処理テープ。
【請求項５】
前記テープ本体は、前記剥離テープを内側に、前記記録テープを外側にして前記テープコアに巻回されており、
前記切離し片は、粘着テープを介して、前記テープコアに貼着されていることを特徴とする請求項４に記載の処理テープ。
【請求項６】
請求項４または５に記載の処理テープと、
前記処理テープを繰出し自在に収容したカートリッジケースと、
を備えたことを特徴とするテープカートリッジ。
【請求項７】
前記テープカートリッジは、前記テープカートリッジから繰り出される前記テープ本体を切断する切断手段を備えたテープ処理装置の装置本体に、着脱自在に装着され、
前記切離し片は、前記カートリッジケースのテープ送出口と、前記切断手段の切断部位との離間寸法より長く形成されていることを特徴とする請求項６に記載のテープカートリッジ。
【請求項８】
請求項３または７に記載のテープカートリッジと、
前記テープカートリッジが着脱自在に装着されるカートリッジ装着部および前記切断手段を有する前記装置本体と、
を備えたことを特徴とするテープ処理装置。
【請求項９】
前記装置本体は、前記テープ本体に対し、墨字の印刷を行う印刷手段および点字の打刻を行う点字打刻手段の少なくとも一方の手段を、さらに備えたことを特徴とする請求項８に記載のテープ処理装置。
【手続補正２】
【補正対象書類名】明細書
【補正対象項目名】０００９
【補正方法】変更
【補正の内容】
【０００９】
本発明の他の処理テープは、裏面に粘着剤層を設けた記録テープと、粘着剤層を介して、記録テープに貼着された剥離テープと、から構成されたテープ本体を、テープコアにロール状に巻回した処理テープであって、テープ本体は、テープコアへの巻き始め端部に、カット線により記録テープのみを分断して形成した切離し片を有すると共に、切離し片は、テープコアに貼着されていることを特徴とする。
【手続補正３】
【補正対象書類名】明細書
【補正対象項目名】００１１
【補正方法】変更
【補正の内容】
【００１１】
この場合、テープ本体は、剥離テープを内側に、記録テープを外側にしてテープコアに巻回されており、切離し片は、粘着テープを介して、テープコアに貼着されていることが好ましい。
【手続補正４】
【補正対象書類名】明細書
【補正対象項目名】００１９
【補正方法】変更
【補正の内容】
【００１９】
この場合、装置本体は、テープ本体に対し、墨字の印刷を行う印刷手段および点字の打刻を行う点字打刻手段の少なくとも一方の手段を、さらに備えたことが好ましい。
【手続補正５】
【補正対象書類名】明細書
【補正対象項目名】００２０
【補正方法】変更
【補正の内容】
【００２０】
この構成によれば、上記のテープ本体に墨字印刷および／または点字打刻の為されたラベルを作製することができる。そして、上述したように、記録テープ剥離部により、テープ本体を使い切ったことを容易に認識することができるため、例えば墨字印刷領域を「前寄せ」に設定した場合やテープ本体に点字打刻のみが行われた場合であっても、作製されたラベルが未完成ラベルであるか否か識別することができる。
【手続補正６】
【補正対象書類名】明細書
【補正対象項目名】００５０
【補正方法】変更
【補正の内容】
【００５０】
次に、本発明に係るテープカートリッジＣについて詳細に説明する。図６に示すように、テープカートリッジＣは、上下２分割（図２参照）のカートリッジケース２５内に、テープ本体Ｔをテープコア２７に巻回した処理テープ２６と、インクリボンＲを巻回したリボン繰出しリール３０および巻取りリール２９と、プラテンローラ３１とを収容して構成されている。テープ本体Ｔは、記録テープＴａを外側にし、且つ剥離テープＴｂを内側にして（図２参照）テープコア２７に巻回された状態で、カートリッジケース２５に繰出し自在に収容されている。また、プラテンローラ３１は、印刷ヘッド２１が遊挿される貫通開口２８に隣接するようにして、カートリッジケース２５に回転自在に収容されている。
【手続補正７】
【補正対象書類名】明細書
【補正対象項目名】００５１
【補正方法】変更
【補正の内容】
【００５１】
テープ送出口３２は、カートリッジケース２５の上下方向にスリット状に開口しており、その長さおよび幅は、収容するテープ本体Ｔの幅および厚さよりもわずかに大きく設定されている。そのため、テープ本体Ｔは、テープ送出口３２の開口縁部３２ａ（図８参照）により幅方向にガイドされるようにして、外部に排出される。
【手続補正８】
【補正対象書類名】明細書
【補正対象項目名】００５２
【補正方法】変更
【補正の内容】
【００５２】
テープ本体Ｔは、基材シートＴａｂの裏面に粘着剤層Ｔａａ（図７参照）が設けられた記録テープＴａと、粘着剤層Ｔａａを介して、記録テープＴａに貼着された剥離テープＴｂとが積層して構成されている。基材シートＴａｂは、約５０μｍ厚の樹脂シート（ポリエチレンテレフタレート等）で構成されており、墨字が印刷される表面は、熱転写によるインクの乗りを良好にするために加工されている。
【手続補正９】
【補正対象書類名】明細書
【補正対象項目名】００５３
【補正方法】変更
【補正の内容】
【００５３】
また、剥離テープＴｂは、テープ本体Ｔを使用時まで取り扱いやすくすると共に、上記粘着剤層Ｔａａを埃等から保護するものであって、表面にシリコン処理が為された約８０μｍ厚の樹脂シート（ポリエチレン／ポリプロピレン共重合体等）で構成されている。そのため、粘着剤層Ｔａａが剥離テープＴｂに及ぼす粘着力は、基材シートＴａｂに及ぼす粘着力よりも極端に小さく（弱粘着）なっている。したがって、ユーザは、記録テープＴａから剥離テープＴｂを容易に剥がすことができる。もっとも、粘着剤層Ｔａａは、剥離テープＴｂに対し、墨字印刷時のテープ送り動作中、点字打刻時のテープ搬送中やテープ本体Ｔ（ラベル）の保管中に、剥離テープＴｂが剥がれてしまわないだけの粘着力は有している。
【手続補正１０】
【補正対象書類名】明細書
【補正対象項目名】００５５
【補正方法】変更
【補正の内容】
【００５５】
図７に示すように、本実施形態の処理テープ２６は、次のようにして作製される。まず、幅広の記録テープＴａ（記録シート７２）と幅広の剥離テープＴｂ（剥離シート７３）とを重ね合わせた原反シート７１を、ロール状に巻回した幅広テープ７４を形成する（図７（ａ））。続いて、これをスライスして所定幅の原材テープ７５を形成する（図７（ｂ））。さらに、この原材テープ７５からテープ本体Ｔを繰り出しながら、記録テープＴａを外側にし、且つ剥離テープＴｂを内側にしてテープコア２７に巻き付けていく（図７（ｃ））。すなわち、テープカートリッジＣに収容すべく、小巻の処理テープ２６を構成する。ここで、テープコア２７への巻き始め端部を、予め、ハーフカッタにより記録テープＴａのみをカット線により分断すると共に、巻き始め端部の記録テープＴａを剥離テープＴｂから除去することで、巻き始め端部に記録テープ除去部Ｔｒを形成しておく。
【手続補正１１】
【補正対象書類名】明細書
【補正対象項目名】００５６
【補正方法】変更
【補正の内容】
【００５６】
最後に、テープ本体Ｔを所定の長さ（例えば８ｍ）巻き付けた後、これを直刃（フルカッタ）を備えた切断装置７６により切断する（図７（ｄ））。このようにして、テープコア２７への巻き始め端部に記録テープ除去部Ｔｒを有するテープ本体Ｔを、テープコア２７に巻回した処理テープ２６を作製することができる。したがって、例えば巻き始め端部を着色することに比べて、簡易な装置構成でこれを行うことができ、コスト高となることがない。なお、切断装置７６として、所定の間隙を存して配設したフルカッタおよびハーフカッタを備えたものを用いることが好ましい。
【手続補正１２】
【補正対象書類名】明細書
【補正対象項目名】００５９
【補正方法】変更
【補正の内容】
【００５９】
図９は、このような処理テープ２６を収容したテープカートリッジＣを上記の装置本体２に装着し、作製された第１ラベルＬ１（図９（ａ）および（ｃ））と第２ラベルＬ２（図９（ｂ）および（ｄ））とを示す図である。このうち、図９（ａ）および（ｂ）は、それぞれテープ本体Ｔの残量が十分にある場合、図９（ｃ）および（ｄ）は、それぞれテープ本体の残量が少ない場合である。
【手続補正１３】
【補正対象書類名】明細書
【補正対象項目名】００６０
【補正方法】変更
【補正の内容】
【００６０】
また、図１０は、上記の処理テープ２６に代えて、通常の剥離紙付きテープ（テープ本体Ｔｎが記録テープＴａおよび剥離紙Ｔｐから成り、テープコア２７への巻き始め端部に、記録テープ除去部Ｔｒのないもの）を巻回したものを収容したテープカートリッジを上記の装置本体２に装着し、テープ本体の残量が少ない場合に作製された第１ラベル（図１０（ａ））と第２ラベル（図１０（ｂ））とを示す図である。
【手続補正１４】
【補正対象書類名】明細書
【補正対象項目名】００６２
【補正方法】変更
【補正の内容】
【００６２】
一方、図９（ｃ）に示すように、本実施形態の処理テープ２６に対し、テープ本体Ｔの残量が少ない場合に第１ラベルＬ１を作製すると、第１ラベルＬ１の後端部は、記録テープ除去部Ｔｒ、すなわち記録テープＴａが途切れ剥離テープＴｂのみとなっているため、テープ本体Ｔを使い切ったことが一目瞭然である。したがって、その第１ラベルＬ１が未完成ラベルであると容易に識別することができる。
なお、図９（ｃ）の第１ラベルは、図９（ａ）や図１０（ａ）の第１ラベルＬ１との比較のため、点字が打刻されたものであるが、実際には、墨字印刷の後、印刷テープ排出口１６からテープ本体Ｔが排出された時点で、それが未完成ラベルであると判るため、無駄に点字打刻を行うことはない。
【手続補正１５】
【補正対象書類名】明細書
【補正対象項目名】００６６
【補正方法】変更
【補正の内容】
【００６６】
図１１を参照して、第２実施形態の処理テープ２６の製造工程について説明する。まず、記録シート７２と剥離シート７３とを重ね合わせた原反シート７１を、ロール状に巻回した幅広テープ７４を形成する（図１１（ａ））。続いて、これをスライスして所定幅の原材テープ７５を形成する（図１１（ｂ））。ここまでは、第１実施形態の処理テープ２６の製造工程と同様である。さらに、第１実施形態と同様に、この原材テープ７５からテープ本体Ｔを繰り出しながら、記録テープＴａを外側にし、且つ剥離テープＴｂを内側にしてテープコア２７に巻き付けていくが（図１１（ｃ））、ここで、テープコア２７への巻き始め端部を、予め、ハーフカットにより記録テープＴａのみをカット線により分断して切離し片Ｔｃを形成しておき、この切離し片Ｔｃを、粘着テープ８１によりテープコア２７に強貼着しておく。すなわち、粘着テープ８１と切離し片Ｔｃとの粘着力は、切離し片Ｔｃと剥離テープＴｂとの粘着力よりも大きくなっている。このようにして、テープ本体Ｔの巻き始め端部がテープコア２７へ固定されるため、テープ本体Ｔのテープコア２７への巻き付け開始作業を容易に行うことができる。
【手続補正１６】
【補正対象書類名】明細書
【補正対象項目名】００６７
【補正方法】変更
【補正の内容】
【００６７】
最後に、第１実施形態と同様に、テープ本体Ｔを所定の長さ（例えば８ｍ）巻き付けた後、これを直刃を備えた切断装置７６により切断する（図１１（ｄ））。このようにして、テープコア２７への巻き始め端部に切離し片Ｔｃを形成し、この切離し片Ｔｃをテープコア２７に強貼着したテープ本体Ｔを、テープコア２７巻回した処理テープ２６を作製することができる。したがって、例えば巻き始め端部を着色することに比べて、簡易な装置構成でこれを行うことができ、コスト高となることがない。さらに、強貼着の手段として粘着テープ８１を用いることで、記録テープＴａ（切離し片Ｔｃ）とテープコア２７とが面していない場合であっても、テープ本体Ｔの巻き付けの邪魔となることなく、切離し片Ｔｃをテープコア２７に簡易に強貼着させることができる。
【手続補正１７】
【補正対象書類名】明細書
【補正対象項目名】００６９
【補正方法】変更
【補正の内容】
【００６９】
図１２に示すように、このように構成された処理テープ２６では、記録テープＴａの切離し片Ｔｃは、剥離テープＴｂよりも、テープコア２７に対して強く粘着している（図１２（ａ））。このため、テープ本体Ｔの残量が少ない場合にテープ本体Ｔが繰り出されると、切離し片Ｔｃは、粘着力の弱い剥離テープＴｂとの間で引き剥がされるようにして、テープコア２７に貼着したまま、剥離テープＴｂから除去される。このため、作製されたラベルの後端部は、剥離テープＴｂから記録テープＴａ（切離し片Ｔｃ）が除去された記録テープ除去部Ｔｒとなる（図１２（ｂ）参照）。